(57)【特許請求の範囲】
【請求項１】
建物の外壁面に取り付けられる保持枠と、建物の外壁面より前方へ張り出すように前記保持枠に基端部が全幅にわたって保持される庇板とを備え、前記庇板は、側端面を互いに突き合わせるようにして幅方向へ連結される複数の中間板材と、両側位置の中間板材の外側端面にそれぞれ装着される側板材とで構成されて成る庇において、
前記保持枠は、建物の外壁面に固着される背板部の前面に、可撓性を有する一対の保持板部が溝を挟んで上下に対向するように庇板の全幅に対応する長さに一体形成され、各保持板部の複数の対向する位置にボルト止め孔が貫通形成されるとともに、庇板を構成する各板材の基端部の前記の各ボルト止め孔に対応する位置にボルト止め孔と連通するボルト通し孔が貫通形成されており、
前記の各保持板部により挟まれる溝は、庇板の基端部を差し込むことが可能な溝幅を有し、溝底から溝開口に向けて次第に広がった溝形状に形成されるとともに、溝底での溝幅を庇板を構成する各板材の基端部の厚みと一致させており、
前記の各保持板部は、前記溝へ各板材の基端部が差し込まれた状態で、連通するボルト止め孔とボルト通し孔に対して一方の保持板部の外側よりボルトを一連に通しかつ他方の保持板部の外側へ突出したボルトの先端部にナットをネジ込んで締め付けたとき、その締付けにより撓んで弾性変形することにより各板材の基端部の上下各面に接して各板材の基端部を挟持するように形成されて成る庇。
【請求項２】
前記庇板を構成する各中間板材および各側板材は、押出成形により形成された金属製の中空板材である請求項２に記載された庇。
【請求項３】
前記庇板の先端縁には、全幅にわたって縁板が装着されている請求項１または２に記載された庇。
【発明の詳細な説明】
【技術分野】
【０００１】
この発明は、建物の外壁面より庇板が前方へ張り出すように設けられる庇に関する。
【背景技術】
【０００２】
従来、その種の庇は、建物の外壁面に固設した保持枠に庇板の基端部を全幅にわたって保持させた構造のものが一般的である。庇板として、全体が一枚構成のものや複数の板材を連結して構成されたものなどがある。
この発明の出願人は、先般、庇板として複数の板材を幅方向へ連結したものを用いることにより、建物の外壁面からの張出し長さを自在に設定でき、作業者ひとりで容易に設置できる庇を提案した（例えば、特許文献１参照）。
【０００３】
【特許文献１】特許第３８５４６２６号公報
【０００４】
上記した庇において、庇板は、図９に示すように、側端面を互いに突き合わせるようにして幅方向へ連結される複数の中間板材２０と、両側位置の中間板材２０の外側端面にそれぞれ装着される側板材２１，２２とで構成されている。各中間板材２０は両側端面が、各側板材２１，２２は内側端面が、それぞれ他の板材と係脱可能な構造となっている。
【０００５】
上記した構成の庇板２は、その基端部が全幅にわたって長手状の保持具１００より保持されている。この保持具１００は、図１０に示すように、庇板２の全幅に相当する長さを有し建物の外壁面に固着される保持枠１０１と、庇板２を構成する全ての中間板材２０および側板材２１，２２の基端部を個別に保持枠１０１に固定するＬ字状の金属板材より成る固定具１０２とを備えたものである。
まず、保持枠１０１を建物の外壁面にアンカーボルトで固着し、側板材２１，２２や中間板材２０の基端部を順次固定具１０２によって保持枠１０１に固定する。なお、図９において、１１０は、特に大きく張り出す庇に用いられるアームである。
【発明の開示】
【発明が解決しようとする課題】
【０００６】
上記した構成の庇において、固定具１０２は鉄板製の板材であって重量が嵩み、施工時、この重い固定具１０２を持ち運びしつつ各板材２０〜２２を固定する作業が必要となるため、これが作業者を疲労させ、作業効率の低下を招く要因となっている。また、多数個の固定具１０２が必要であるため、部品点数が増し、庇全体がコスト高となる。
【０００７】
この発明は、上記した問題に着目してなされたもので、鉄板製の固定具を用いずに庇板の基端部を保持枠に固定可能となすことにより、部品点数が少なく安価であり、作業者の作業負担の軽減と作業能率の向上とを実現する庇を提供することを目的とする。
【課題を解決するための手段】
【０００８】
この発明による庇は、建物の外壁面に取り付けられる保持枠と、建物の外壁面より前方へ張り出すように前記保持枠に基端部が全幅にわたって保持される庇板とを備え、前記庇板は、側端面を互いに突き合わせるようにして幅方向へ連結される複数の中間板材と、両側位置の中間板材の外側端面にそれぞれ装着される側板材とで構成されて成るものである。  前記保持枠は、建物の外壁面に固着される背板部の前面に、可撓性を有する一対の保持板部が溝を挟んで上下に対向するように庇板の全幅に対応する長さに一体形成され、各保持板部の複数の対向する位置にボルト止め孔が貫通形成されるとともに、庇板を構成する各板材の基端部の前記の各ボルト止め孔に対応する位置にボルト止め孔と連通するボルト通し孔が貫通形成されている。
前記の各保持板部により挟まれる溝は、庇板の基端部を差し込むことが可能な溝幅を有し、溝底から溝開口に向けて次第に広がった溝形状に形成されるとともに、溝底での溝幅を庇板を構成する各板材の基端部の厚みと一致させており、前記の各保持板部は、前記溝へ各板材の基端部が差し込まれた状態で、連通するボルト止め孔とボルト通し孔に対して一方の保持板部の外側よりボルトを一連に通しかつ他方の保持板部の外側へ突出したボルトの先端部にナットをネジ込んで締め付けたとき、その締付けにより撓んで弾性変形することにより各板材の基端部の上下各面に接して各板材の基端部を挟持するように形成されている。
【０００９】
この発明の上記した構成において、保持枠として、例えばアルミニウムの押出型材を用いるのが望ましいが、これに限らず、ナットの締付けによって保持板部が撓んで変形するように構成できるものであれば、例えば合成樹脂材を押出成形したものなどを用いることもできる。また、庇板を構成する中間板材および側板材は、押出成形により形成されたアルミニウム製の中空板材を用いるとよい。
【００１０】
庇の施工に際し、まず、建物の外壁面に保持枠をアンカーボルトなどで固着する。つぎに、保持枠の各保持板部によって挟まれる溝へ庇板を構成する全ての側板材および中間板材について基端部を順次差し込み、板材を差し込む度に、連通するボルト止め孔とボルト通し孔に対して一方の保持板部の外側よりボルトを一連に通しかつ他方の保持板部の外側へ突出したボルトの先端部にナットをネジ込んで締め付ける。ボルトは各保持板部のボルト止め孔と板材のボルト通し孔とを貫通するので、板材は抜止め状態で保持され、さらに、ナットの締付けによってボルトの頭部とナットとの間で上下の保持板部が内側へ押圧され、各保持板部が撓んで弾性変形し、側板材または中間板材の基端部の上下各面に接して板材の基端部を挟持する。前記の各保持板部は、上下の保持板部により挟まれる溝が、溝底から溝開口に向けて次第に広がった溝形状となるように形成されているので、上下の保持板部により挟まれる溝への庇板の基端部の挿入が容易となる。また、溝底の溝幅を庇板の基端部の厚みに一致させているので、ナットの締付けによって上下の保持板部が内側へ押圧されて弾性変形したとき、各保持板部は庇板の基端部の上下各面にほぼ奥行き全体にわたって広く接し、庇板の基端部がしっかりと挟持される。さらに、上記した各保持板部を弾性変形させるので、ナットに各保持板部の弾性復元力が作用する結果、ナットの緩みが阻止され、締付け状態が保持される。
【００１２】
この発明の好ましい実施態様においては、庇板の先端縁には、全幅にわたって縁板が装着されている。庇板は複数の板材を連結して構成されているので、庇板の先端縁に縁板を装着することで庇の美観が向上することに加えて、板材間の連結強度が増す。なお、縁板として樋溝を備えたものを用いることができるが、樋溝は必ずしも不可欠ではない。
【発明の効果】
【００１４】
この発明によると、従来の庇のように、鉄板製の固定具を用いずに庇板の基端部を保持枠に固定することが可能であるから、部品点数が減少して安価であり、さらに、作業者の作業負担の軽減と作業能率の向上とを実現できる。
【発明を実施するための最良の形態】
【００１５】
図１および図２は、この発明の一実施例である庇１の外観を示している。
この庇１は、建物の外壁面１０から前方へ張り出すように設けられるもので、庇板２と、建物の外壁面１０に固着され庇板２の基端部を全幅にわたって保持する保持枠３と、庇板２の先端縁に全幅にわたって装着される縁板４とで構成されている。庇板２、保持枠３、および縁板４を構成する各部材はアルミニウムの押出型材が用いられる。
なお、張出し量の大きな庇については、図９に示した従来例のように、庇板２の２箇所（１箇所または３箇所以上であってもよい。）をアームを用いて水平ないしは水平に近い状態で吊持することもできる。
【００１６】
庇板２は、図１および図３に示すように、側端面を互いに突き合わせるようにして幅方向へ連結される複数の中間板材２０と、両側位置の中間板材２０の外側端面にそれぞれ装着される側板材２１，２２とで構成されている。各中間板材２０および各側板材２１，２２は、アルミニウムの押出成形により形成され、その内部は中空である。
【００１７】
各中間板材２０は、一方の側端面に第１の係合部２４を、他方の側端面に第２の係合部２５を、それぞれ備えている。また、各側板材２１，２２のうち、一方の側板材２１は内側端面に第１の係合部２４を備え、他方の側板材２２は内側端面に第２の係合部２５を備えている。
【００１８】
各中間板材２０の第１の係合部２４は他の中間板材２０または側板材２２の第２の係合部２５と係脱可能である。各中間板材２０の第２の係合部２５は他の中間板材２０または側板材２１の第１の係合部２４と係脱可能である。
【００１９】
各中間板材２０の内部には、長さ方向に沿う２個の取付溝２３，２３がほぼ左右対称位置に形成されている。各取付溝２３には、長さ方向の強度を保つために、中間板材２０の厚さおよび長さに応じた幅および長さを有する鉄板製の補強板９が縦向きにして挿入されて支持されている。
なお、各中間板材２０の内部には、補強のためのリブ２７が設けられているので、前記補強板９は必ずしも組み込む必要がなく、必要に応じて用いればよい。
【００２０】
前記保持枠３は、庇板２の全幅とほぼ一致する長さを有するもので、図４に示すように、建物の外壁面に沿ってアンカーボルト７により止め固定される背板部３１と、背板部３１の前面のほぼ中央部に保持溝８を挟んで上下に対向するように庇板２の全幅に対応する長さに一体形成された一対の保持板部３０Ａ，３０Ｂとを備えたものである。各保持板部３０Ａ，３０Ｂは、可撓性を有し、後述するボルト６およびナット６０による内向きの締付力が作用したとき、内側へわずかに撓んで弾性変形するようにその厚みや突出長さが設定されている。
【００２１】
前記保持溝８は、図５に示すように、庇板２を構成する各板材２０〜２２の基端部を前方より差し込むことが可能な溝幅を有し、前面が全長にわたって開放されている。上側の保持板部３０Ａはわずかに上開きとなるように、また、下側の保持板部３０Ｂはわずかに下開きとなるように、それぞれ背板部３１の前面より突出しており、その結果、上下の保持板部３０Ａ，３０Ｂ間の保持溝８は、溝底から溝開口に向けて次第に広がった溝形状になっている。保持溝８の溝底での溝幅ｄ１は庇板２を構成する各板材２０〜２１の基端部の厚みとほぼ一致し、従って、保持溝８の溝開口部での溝幅ｄ２は、ｄ２＞ｄ１である。
なお、上側の保持板部３０Ａの先端面を、図５において点線で示すように、外開きの傾斜面３９に形成すれば、その傾斜面３９が庇板２を差し込むときのガイドとして機能するため、庇板２の差込み作業を容易かつ円滑に行える。
【００２２】
この保持枠３には、庇板２の基端部を上方および下方より覆って保持枠３やボルト６およびナット６０を外部から見えないようにするための上カバー３２および下カバー３３が装着される。上カバー３２や下カバー３３はアルミニウムの押出型材である。なお、保持枠３の両側端面は端板５，５により塞がれている（図１）。
【００２３】
保持枠３の背板部３１の上端縁には斜め前方へ突出する第１の係合突部３５ａが、下端縁には下方へ突出する第２の係合突部３５ｂが、それぞれ全幅にわたり形成されている。第１の係合突部３５ａには上カバー３２の一端縁が係合し、第２の係合突部３５ｂには下カバー３３の一端縁が係合する。また、下側の保持板部３０Ｂの先端面には下カバー３３の他端縁が係合する係合凹部３６が全幅にわたって形成されている。背板部３１には、上下の保持板部３０Ａ，３０Ｂの間に、アンカーボルト７が挿入されるボルト挿通孔７１が一定間隔毎に横一列に設けられている。
【００２４】
上下の各保持板部３０Ａ，３０Ｂには、長さ方向に沿う複数の対向する位置に、図４〜図６に示すように、各保持板部３０Ａ，３０Ｂを上下に貫通するボルト止め孔６１，６２がそれぞれ形成されるとともに、庇板２を構成する各側板材２１，２２および各中間板材２０の基端部であって保持板部３０Ａ，３０Ｂの各ボルト止め孔６１，６２に対応する位置に、ボルト止め孔６１，６２に連通するボルト通し孔６３，６４が各板材の上板部２ａおよび下板部２ｂを貫通して形成されている。
【００２５】
前記のボルト６は、上側の保持板部３０Ａの上方よりボルト止め孔６１へ挿入され、上側の保持板部３０Ａのボルト止め孔６１、側板材２１，２２または中間板材２０のボルト通し孔６３，６４、および下側の保持板部３０Ｂのボルト止め孔６２を一連に貫通する。下側の保持板部３０Ｂの下方へ突出したボルト６の先端部にはナット６０がネジ込まれて締め付けられる。なお、図中、６６はボルト６の頭部６５と上側の保持板材３０Ａとの間に介在させる座金であり、６７は下側の保持板材３０Ｂとナット６０との間に介在させる座金である。
【００２６】
ナット６０を締め付けた状態のとき、上下の保持板材３０Ａ，３０Ｂは内側へわずかに撓んで弾性変形するもので、各保持板材３０Ａ，３０Ｂは側板材２１，２２や中間板材２０の上板部２ａおよび下板部２ｂにかなり広範囲にわたり接触して各板材を挟持する。
【００２７】
なお、図４において、３７は上カバー３２の上端縁と建物の外壁面１０との間に庇板２の全幅にわたって嵌め込まれるコーキング材、３８は上カバー３２の下端縁と庇板２の上面との間に庇板２の全幅にわたって嵌め込まれるコーキング材である。これらのコーキング材３７，３８によって雨水の浸入が阻止される。また、３４は前記端板５をビス止めするために上下の各カバー３２，３３に設けられたビス止め孔である。
【００２８】
庇板２を構成する各中間板材２０および各側板材２１，２２の先端面は、図７に示すように、斜めに切断されており、この斜めの先端面に前記した縁板４が装着されている。
図示例の縁板４は、各板材の斜めの先端面に当接する前板部４０と、前板部４０の上端に連続する上縁部４１、各中間板材２０および各側板材２１，２２の下面に当接させる突板部４２と、前板部４０と突板部４２との間の底板部４３とを備えている。
上縁部４１の先端には樋板部４４が、突板部４２の上端には下縁部４５が、それぞれ一体形成されている。上縁部４１は板材の上板部２ａにゴムパッキン４６を介在させた状態でビス止めされ、下縁部４５は板材の下板部２ｂに直接ビス止めされている。なお、前記の樋板部４４によって雨水は側方へ導かれるが、この樋板部４は必ずしも必要な構成ではない。
【００２９】
上記した構成の庇１を建物の外壁面１０に設けるには、まず、建物の外壁面１０に保持枠３をアンカーボルト７により固着し、つぎに、庇板２を構成する全ての中間板材２０および側板材２１，２２の基端部を保持枠３に順次固定して庇板２を組み立てた後、庇板２の先端縁に縁板４を装着する。
【００３０】
庇板２の組み立てには、図８に示すように、保持枠３の上下に対向する保持板部３０Ａ，３０Ｂ間の保持溝８へ庇板２を構成する側板材２１，２２や中間板材２０の基端部を順次差し込んで保持枠３に固定する。この場合に、例えば、中間板材２０を保持溝８へ差し込むとき、それに先立ち、すでに固定済の側板材２２や中間板材２０と手前位置で第１、第２の各係合部２４，２５を係合して側端面を互いに突き合わせた後、その中間板材２０をハンマーなどで叩くなどしてスライドさせ保持溝８内へ押し込む。
【００３１】
板材を差し込む度に、各保持板部３０Ａ，３０Ｂのボルト止め孔６１，６２と各板材のボルト通し孔６３，６４とを位置合わせし、連通するボルト止め孔６１，６２とボル通し孔６３，６４に対して上側の保持板部３０Ａの上方よりボルト６を一連に通した後、下側の保持板部３０Ｂの下方へ突出したボルト６の先端部にナット６０をネジ込んで締め付ける。ボルト６は各保持板部３０Ａ，３０Ｂのボルト止め孔６１，６２および板材のボルト通し孔６３，６４を貫通するので、板材は抜止め状態となって保持されるとともに、ナット６０の締付けによってボルト６の頭部６５とナット６０との間で上下の保持板部３０Ａ，３０Ｂが内側へ押圧され、各保持板部３０Ａ，３０Ｂが撓んで弾性変形し、板材の基端部の上板部２ａおよび下板部２ｂに接して板材の基端部を挟持する。各保持板部３０Ａ，３０Ｂが弾性変形したとき、ナット６０には各保持板部３０Ａ，３０Ｂの弾性復元力が作用するので、ナット６０の緩みが阻止され、締付け状態が保持される。
【００３２】
保持溝８は、溝底から溝開口に向けて次第に広がった溝形状に形成されているので、上下の保持板部３０Ａ，３０Ｂ間の保持溝８へ庇板２を構成する各板材の基端部を容易に挿入することができる。また、保持溝８の溝底での溝幅ｄ１を庇板２を構成する各板材の基端部の厚みにほぼ一致させているので、ナット６０の締付けによって上下の保持板部３０Ａ，３０Ｂが内側へ押圧されて弾性変形したとき、各保持板部３０Ａ，３０Ｂは各板材の基端部の上板部２ａおよび下板部２ｂにほぼ奥行き全体にわたって接し、庇板２の基端部が挟持される。
【００３３】
上記した構成の庇１では、庇板１を構成する各板材を保持枠３に固定するのに、従来例のような鉄板製の固定具を用いずに、各板材の基端部を保持溝８に差し込んでボルト６とナット６０で締め付けるだけであるので、作業者の作業負担が軽減され、作業能率が向上する。
【図面の簡単な説明】
【００３４】
【図１】この発明の一実施例である庇の外観を示す斜視図である。
【図２】図１の庇の側面図である。
【図３】図１のＡ−Ａ線に沿う断面図である。
【図４】保持枠による板材の保持状態を示す断面図である。
【図５】保持枠の保持溝へ板材を差し込む状態を示す断面図である。
【図６】上下のカバーを外した状態での図４のＢ−Ｂ線に沿う断面図である。
【図７】縁板の取付構造を示す断面図である。
【図８】庇の施工状態を示す斜視図である。
【図９】従来の庇の構成を示す斜視図である。
【図１０】従来の庇の施工状態を示す斜視図である。
【符号の説明】
【００３５】
１    庇
２    庇板
３    保持枠
４    縁板
６    ボルト
６０  ナット
８    保持溝
２０  中間板材
２１，２２  側板材
３０Ａ，３０Ｂ  保持板部
３１  背板部
６１，６２  ボルト止め孔
６３，６４  ボルト通し孔
【要約】
【課題】鉄板製の固定具を用いずに庇板の基端部を保持枠に固定可能とする。
【解決手段】建物の外壁面に取り付けられた保持枠３に庇板２の基端部が保持される。保持枠３はアルミニウムの押出型材であって、溝８を挟んで上下に対向する一対の保持板部３０Ａ，３０Ｂを備えている。各保持板部３０Ａ，３０Ｂの複数の対向する位置にボルト止め孔６１，６２が、庇板２の基端部にボルト通し孔６３，６４が、それぞれ貫通形成されている。保持板部３０Ａ，３０Ｂにより挟まれる溝８は、庇板２の基端部を差し込むことが可能な溝幅である。各保持板部３０Ａ，３０Ｂは、溝８へ庇板２の基端部が差し込まれた状態で、ボルト止め孔６１，６２とボルト通し孔６３，６４とにボルト６を一連に通しボルト６の先端部にナット６０をネジ込んで締め付けたとき、弾性変形により庇板２の基端部の上下各面に接して庇板２の基端部を挟持するように形成されている。
【選択図】図４【図１】
0004192199.tif 000002
【図２】
0004192199.tif 000003
【図３】
0004192199.tif 000004
【図４】
0004192199.tif 000005
【図５】
0004192199.tif 000006
【図６】
0004192199.tif 000007
【図７】
0004192199.tif 000008
【図８】
0004192199.tif 000009
【図９】
0004192199.tif 000010
【図１０】
0004192199.tif 000011